(57)【要約】【課題】浴室暖房乾燥機を利用した大能力かつ構造簡易な浴室外乾燥装置を提供する。【解決手段】乾燥装置１は浴室暖房乾燥機３、隣接して設置された換気ユニット４、脱衣室６内に設置される乾燥庫２を主要構成とする。乾燥庫２と浴室暖房乾燥機３とは往き側ダクトＳ１及び戻り側ダクトＲ１で接続されている。乾燥庫２と換気ユニット４とは換気ダクトＥ１で接続されている。乾燥庫２は、乾燥チャンバー２ａ及び換気循環チャンバー２ｂの２つのチャンバーに区画されている。仕切板２２の下端部近傍には、ガラリ２３が切られている。乾燥チャンバー２ａ上面には温風導入口２４ａ、換気循環チャンバー２ｂの上面には温風導出口２４ｂ及び換気用排出口２４ｃが設けられている。  【選択図】図１
2007064494.tif 000002
【特許請求の範囲】
【請求項１】
浴室内空気を温風により乾燥又は暖房する浴室乾燥暖房機と、一又は複数の部屋の空気を導いて外気に排出する換気ユニットと、温風導入口と温風導出口とを備えた乾燥庫と、を含む乾燥装置であって、
浴室乾燥暖房機で作られた温風を、温風導入口を介して乾燥庫に供給する往き側ダクトと、
乾燥庫内空気を、温風導出口を介して浴室乾燥暖房機に戻す戻り側ダクトと、
乾燥庫内空気を、換気ユニットに導く換気手段と、
を備えて成ることを特徴とする乾燥装置。
【請求項２】
前記乾燥庫は換気用排出口をさらに備え、前記換気手段が、乾燥庫内空気を換気用排出口を介して換気ユニットに導く換気ダクトであることを特徴とする請求項１に記載の乾燥装置。
【請求項３】
乾燥庫内空気を、前記浴室乾燥暖房機側に戻すか、又は前記換気ユニット側に戻すかを、適宜切り替える手段を、さらに備えて成ることを特徴とする請求項１又は２に記載の乾燥装置。
【請求項４】
前記換気手段が、前記浴室乾燥暖房機と前記換気ユニットとを連通する通気口であることを特徴とする請求項１乃至３に記載の乾燥装置。
【請求項５】
前記乾燥庫が、洗面室、クローゼット又は玄関収納スペースと兼用に構成されて成ることを特徴とする請求項１乃至４に記載の乾燥装置。
【請求項６】
前記乾燥チャンバー内に、通電式又は温水式輻射パネルを、さらに備えて成ることを特徴とする請求項１乃至５に記載の乾燥庫。
【請求項７】
請求項１乃至６に記載の乾燥装置において、所定の時間ごとに暖房運転と換気運転を切替えることを特徴とする乾燥装置の運転方法。
【請求項８】
請求項１乃至６に記載の乾燥装置において、前記浴室乾燥暖房機側に戻された乾燥庫内空気の一部を、前記換気ユニット側に戻すことにより乾燥運転と換気運転を同時に行うことを特徴とする乾燥装置の運転方法。
【請求項９】
温風導入口を備えた乾燥チャンバーと、温風導出口を備えた換気循環チャンバーと、に区画され、乾燥チャンバーと換気循環チャンバーとを連通する通気手段を備えて成ることを特徴とする乾燥庫。
【請求項１０】
前記換気循環チャンバーは、さらに換気用排出口を備えて成ることを特徴とする請求項９に記載の乾燥庫。
【発明の詳細な説明】
【技術分野】
【０００１】
本発明は、乾燥装置及びその運転方法に係り、特に、大能力かつ構造簡易な乾燥装置及びその運転方法に関する。
【背景技術】
【０００２】
従来、家庭用の乾燥装置としては、（１）電気式全自動洗濯乾燥機、（２）電気又は温水ドラム式乾燥機、（３）電気又は温水式浴室暖房乾燥機、が実用化されている。このうち、（１）又は（２）については、乾燥中におけるドラム回転による衣類の傷み、縮みの問題がある。（３）については、入浴後の浴室乾燥、浴室内に干された衣類乾燥に用いるものであり、浴室内が高湿度になることから入浴中又は入浴直後の衣類乾燥には適さないという問題がある。
【０００３】
また、浴室暖房乾燥機を用いた浴室外乾燥手段として、浴室と洗面室を仕切る間仕切内に収納スペースを設け、この収納スペースに浴室暖房乾燥機からの温風を送風する技術が公知である（例えば、特許文献１）。しかし、この方式は換気機能を持たないため、乾燥効率が悪いという問題がある。
【０００４】
換気機能と浴室外乾燥手段の双方を備えた浴室暖房乾燥機として、以下の技術が公知である。図１２は、このような浴室暖房乾燥機１００を示す図である。浴室暖房乾燥機１００は、熱交換器１０１、循環ファン１０２を主要構成とする浴室暖房循環系統と、熱交換器１０３、循環ファン１０４を主要構成とする浴室外（例えば脱衣室等）暖房循環系統を備えている。浴室暖房乾燥機１００は浴室の天井部に設置されるが、ダクト１０７ａを介して温風が浴室外に供給される。浴室暖房乾燥機１００はさらに切替えダンパー１０５を備えており、これを開にすることによりダクト１０７ｂを経由して戻される脱衣室空気の一部は、換気ファン１０６により換気ダクト１０８を介して屋外に排出される。このようにして、浴室外暖房（乾燥）と換気を同時に行うことが可能となる。
【特許文献１】特開２００５−３４５１１号公報
【発明の開示】
【発明が解決しようとする課題】
【０００５】
しかし、従来の浴室外乾燥・換気可能な浴室暖房乾燥機では、浴室外乾燥用として浴室暖房・乾燥用とは独立の熱交換器を持つ必要があるため構造が複雑となり、またコストアップ要因ともなる。さらに、大能力乾燥が困難であるという問題もある。
【０００６】
本発明はこのような問題を解決するためのものであって、浴室暖房乾燥機を利用した大能力かつ構造簡易な浴室外乾燥装置を提供するものである。
【課題を解決するための手段】
【０００７】
本発明は、以下の内容を要旨とする。すなわち、
請求項１の発明は、熱交換器を備え、浴室内空気を温風により乾燥又は暖房する浴室乾燥暖房機と、一又は複数の部屋の空気を導いて外気に排出する換気ユニットと、温風導入口と温風導出口とを備えた乾燥庫と、を含む乾燥装置であって、浴室乾燥暖房機で作られた温風を、温風導入口を介して乾燥庫に供給する往き側ダクトと、乾燥庫内空気を、温風導出口を介して浴室乾燥暖房機に戻す戻り側ダクトと、乾燥庫内空気を、換気ユニットに導く換気手段と、を備えて成ることを特徴とする乾燥装置。
【０００８】
請求項２の発明は、前記乾燥庫は換気用排出口をさらに備え、前記換気手段が、乾燥庫内空気を換気用排出口を介して換気ユニットに導く換気ダクトであることを特徴とする。
請求項３の発明は、乾燥庫内空気を、前記浴室乾燥暖房機側に戻すか、又は前記換気ユニット側に戻すかを、適宜切り替える手段を、さらに備えて成ることを特徴とする。
請求項４の発明は、前記換気手段が、前記浴室乾燥暖房機と前記換気ユニットとを連通する通気口であることを特徴とする。
請求項５の発明は、前記乾燥庫が、洗面室、クローゼット又は玄関収納スペースと兼用に構成されて成ることを特徴とする。
このように構成することにより、例えば洗面室を乾燥庫としても利用できるため、住戸スペースの有効利用が可能となる。
請求項６の発明は、前記乾燥チャンバー内に、通電式又は温水式輻射パネルを、さらに備えて成ることを特徴とする。
請求項７の発明は、請求項１乃至６に記載の乾燥装置において、所定の時間ごとに暖房運転と換気運転を切替えることを特徴とする乾燥装置の運転方法である。
請求項８の発明は、請求項１乃至６に記載の乾燥装置において、前記浴室乾燥暖房機側に戻された乾燥庫内空気の一部を、前記換気ユニット側に戻すことにより乾燥運転と換気運転を同時に行うことを特徴とする乾燥装置の運転方法である。
【０００９】
請求項９の発明は温風導入口を備えた乾燥チャンバーと、温風導出口を備えた換気循環チャンバーと、に区画され、乾燥チャンバーと換気循環チャンバーとを連通する通気手段を備えて成ることを特徴とする乾燥庫である。
【００１０】
請求項１０の発明は、請求項９に記載の乾燥庫であって、前記換気循環チャンバーは、さらに換気用排出口を備えて成ることを特徴とする。
【発明の効果】
【００１１】
本発明により、浴室暖房・乾燥用熱交換器を浴室外乾燥に共用できるため、大能力かつ構造簡易な乾燥装置が可能となった。
また、浴室外乾燥であるため、入浴中であっても衣類乾燥が可能となった。また、浴室外で吊るし乾燥が可能であるため、ドラム回転による衣類の傷み、縮みの問題もなくなった。
【００１２】
また、さらに、既存の換気ユニットと組み合わせることにより、乾燥−換気をサイクリックに行うことができ、効率的な衣類等乾燥が可能となる。
さらに、浴室暖房乾燥機と換気ユニットを接して設置し、さらに連通部を設けることにより、排気ダクト数を減らすことができ、コストダウンに資する。
【発明を実施するための最良の形態】
【００１３】
以下、本発明に係る乾燥装置の各実施形態について、図１乃至７を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１４】
（第一の実施形態）
図１は、本発明の一実施形態に係る乾燥装置１の全体構成を示す図である。図２は、乾燥庫２の詳細構成を示す図である。図３は、浴室暖房乾燥機３及びこれと隣接して設置される換気ユニット４の平面断面を示す図である。また図４は、浴室暖房乾燥機３の正面断面を示す図である。
【００１５】
図１を参照して、乾燥装置１は浴室５の天井面に設置された浴室暖房乾燥機３と、これに隣接して設置された換気ユニット４と、脱衣室６内に設置される乾燥庫２と、を主要構成とする。乾燥庫２と浴室暖房乾燥機３とは往き側ダクトＳ１及び戻り側ダクトＲ１で接続されており、浴室暖房乾燥機３で作られた温風が浴室暖房乾燥機３と乾燥庫２間を循環するように構成されている。また、乾燥庫２と換気ユニット４とは換気ダクトＥ１で接続されており、乾燥庫２内の空気が換気ダクトＥ１を介して換気ユニット４に導かれるように構成されている。なお、トイレ室７の天井面には、換気ユニット４と接続する換気ダクトＥ２が設けられている。換気ユニット４はさらに他室とも接続しているが、同図では省略してある。
【００１６】
図２を参照して、乾燥庫２は仕切板２２により乾燥チャンバー２ａ及び換気循環チャンバー２ｂの２つのチャンバーに区画されている。仕切板２２の下端部近傍には、両チャンバーの通気を確保するためのガラリ２３が切られている。乾燥庫２の上面２４は、脱衣室６の天井面に接して設置されている。乾燥チャンバー２ａ上面には、往き側ダクトＳ１に接続する温風導入口２４ａが設けられている。また、換気循環チャンバー２ｂの上面には、戻り側ダクトＲ１に接続される温風導出口２４ｂ及び換気ダクトＥ１に接続される換気用排出口２４ｃが設けられている。乾燥チャンバー２ａ内部には、衣類を吊るすためのポール２５が取り付けられている。乾燥庫２の前面には、乾燥衣類の出し入れを行うための開閉可能な扉２１が設けられている。
【００１７】
図３、図４（ａ）を参照して、浴室暖房乾燥機３は筐体３ａの内部に配置される二連構成のシロッコファン３１、内部を温水が循環する熱交換器３２、温風を浴室５又は乾燥庫２に選択的に供給するための切替ダンパー３４、吹出しルーバー３３ａ、吸い込みルーバー３３ｂを主要構成とする。熱交換器３２には温水配管３５ａ、３５ｂが接続されており、熱源機（図示せず）から供給される温水が熱交換器内部を循環するように構成されている。筐体３ａの側面には、戻り側ダクトＲ１に接続される温風戻り口３８、往き側ダクトＳ１に接続される温風供給口３７が設けられている。温風戻り口３８とシロッコファン３１間には風路３８ａが形成されており、乾燥庫２内から戻された空気が風路３８ａを経由してシロッコファン３１に導かれるように構成されている。シロッコファン３１は共通回転軸３１ｂを持ち、モーター３１ａの駆動により吸い込んだ空気（浴室内空気又は乾燥庫２内空気）を熱交換器３２に送るように構成されている。ダンパー３４、温風供給口３７間には風路３６ａが形成されており、ダンパー３４が図４（ａ）の位置のときは、熱交換器３２を通過した温風は風路３６ａ→往き側ダクトＳ１を経由して乾燥庫２に供給されるように構成されている。また、ダンパー３４が図４（ｂ）の位置のときは、熱交換器３２を通過した温風は風路３６ｂ→吹出しルーバー３３ａを経由して浴室５内に供給されるように構成されている。浴室暖房乾燥機３には戻り側ダクトＲ１、往き側ダクトＳ１が接続されており、乾燥庫２から戻り側ダクトＲ１を介して戻される乾燥庫内空気が通路３８ａを経由してシロッコファン３１に導かれ、風路３５を経由して熱交換器３２に送られ、ここで循環温水と熱交換して温風となって往き側ダクトＳ１を介して乾燥庫２に供給されるように構成されている。
【００１８】
なお、図には示さないが浴室暖房乾燥機３は制御部を備えており、浴室暖房・乾燥及び後述する乾燥庫２を用いた浴室外乾燥の制御を行うように構成されている。
換気ユニット４は筐体４ａ内部にシロッコファン４１を備えており、また、側面には換気ダクトＥ１、Ｅ２及び排気ダクトＥ３が接続されている。これにより、換気ダクトＥ１、Ｅ２を介して換気ユニット４に集められた換気用空気を、排気ダクトＥ３を介して屋外に排出できるように構成されている。換気ユニット４と換気ダクトＥ１との結合部にはダンパー４２が取り付けられており、乾燥庫２から導かれる換気用空気を導入又は遮断可能に構成されている。なお、換気ユニット４は常時換気を行っている。
【００１９】
乾燥装置１は以上のように構成されており、次に図５乃至７をも参照して乾燥装置１における乾燥フローについて説明する。なお、本実施形態では、運転時間累計１２０分、かつ、暖房モード運転と換気モード運転を交互に２０分ごとに切替えて行う態様とする。なお、本発明において暖房とは、乾燥庫内の衣服等の被乾燥物又は浴室を暖めて乾燥させることをいう（以下の実施形態においても同様）。
【００２０】
図５を参照して、使用者から乾燥庫２を用いた乾燥要求があると（Ｓ１０１）、浴室暖房乾燥機３の切替ダンパー３４は乾燥庫側（図４（ａ）の状態）、ダンパー４２閉に切替えられる（Ｓ１０２）。さらに、シロッコファン３１駆動、熱交換器３２に温水が通水される。これにより暖房モード運転が開始される（Ｓ１０３）。このときの温風循環経路は図６の矢印に示すように、浴室暖房乾燥機３→往き側ダクトＳ１→乾燥チャンバー２ａ→換気循環チャンバー２ｂ→戻り側ダクトＲ１→浴室暖房乾燥機３となる。
【００２１】
この状態で暖房モード運転の所定時間（２０分）が経過したか否かが判定される（Ｓ１０４）。経過していないときはその状態が維持される。２０分経過したときは、換気モード運転に切替えられる（Ｓ１０５）。モード切替えにより熱交換器３２の温水通水停止、シロッコファン３１駆動停止、ダンパー４２開となる。これにより図７の矢印に示すように、乾燥庫２内の高湿空気は換気ダクトＥ１を経由して換気ユニット４に送られ、さらに排気ダクトＥ３を経由して屋外に排出される。
【００２２】
この状態で換気モード運転所定時間（２０分）が経過したか否かが判定される（Ｓ１０６）。経過していないときはその状態が維持され、時間経過したときは、次に、運転開始からの累積運転時間が所定の時間（１２０分）経過したか否かが判定される（Ｓ１０７）。１２０分経過していないときは、再度暖房モード運転に切替えられる（Ｓ１０３へ）。１２０分経過したときは運転が停止され（Ｓ１０８）、本制御が終了する。
【００２３】
なお、本実施形態において、暖房モード運転から換気モード運転への切替え時間及び累積運転時間は例示であって、乾燥庫２の容積、熱交換器３２の能力等に対応して適宜、任意に選択可能である。
また、換気ファンは浴室内のみを換気する形態としたが、これに限らずトイレ、台所等の換気を含めた全般換気とすることもできる。
【００２４】
（第二の実施形態）
次に、図１１をも参照して、本発明の他の実施形態について説明する。本実施形態の構成は、第一の実施形態と同一であるので説明を省略する。本実施形態が第一の実施形態と異なるのは、暖房モード運転と換気モード運転を交互に行うのではなく、暖房運転と換気運転を同時に行う点である。本実施形態における各部の状態は、この状態で使用者から乾燥庫２使用要求があると、浴室暖房乾燥機３の運転が開始され、シロッコファン３１駆動、熱交換器３２に温水が通水される。また、切替ダンパー３４は乾燥庫側（図４（ａ）の状態）、ダンパー４２は開となる。これにより、温風循環経路は図１０の矢印に示す通りとなる。すなわち、浴室暖房乾燥機３の暖気は往き側ダクトＳ１を介して乾燥チャンバー２ａに導かれる。そして、乾燥庫２内の高湿空気は換気循環チャンバー２ｂ→戻り側ダクトＲ１の経路を通って浴室暖房乾燥機３に戻される。さらにダンパー４２が開であるから、乾燥庫２内の高湿空気の一部は換気ダクトＥ１を経由して換気ユニット４に送られ、さらに排気ダクトＥ３を介して屋外に排出される。このようにして、暖房運転と換気運転が同時に行われる。
【００２５】
（第三の実施形態）
さらに、本発明の他の実施形態について説明する。図８は、本発明の第三の実施形態に係る乾燥装置５０の全体構成を示す図である。また、図９は本実施形態に係る浴室暖房乾燥機５１を示す図である。本実施形態が上述の各実施形態と異なる点は、乾燥装置５０にあっては乾燥庫２と換気ユニット４とを結ぶ換気ダクトを備えていないことである。また、浴室暖房乾燥機５１と換気ユニット５２との接合部に、開口部５４及びダンパー５３を備えていることである。すなわち、ダンパー５３を開にすることにより浴室暖房乾燥機５１を通過する温風の一部をシロッコファン４１に吸込み、さらに屋外に排出可能に構成されている。その他の構成は上述の実施形態と同一である。
【００２６】
乾燥庫２使用時における温風循環及び換気は以下の通りとなる。図８の矢印に示すように、乾燥時においては、温風は浴室暖房乾燥機５１→往き側ダクトＳ１→乾燥チャンバー２ａ→換気循環チャンバー２ｂ→戻り側ダクトＲ１→浴室暖房乾燥機５１のルートで循環する。一方、換気時においては図１０の矢印に示すように、浴室暖房乾燥機５１に戻された乾燥庫２内の高湿空気のうちの一部は、開口部５４を通過して換気ユニット５２に導かれ、さらに排気ダクトＥ３を経由して屋外に排出される。このように、本実施形態によれば乾燥庫と換気ユニットとを結ぶ換気ダクトを持つことなしに、乾燥と換気をサイクリックに行うことが可能となる。
なお、各実施形態においては、温水式浴室暖房乾燥機を用いた例を示したが、これに限らず他の熱源、例えば電気式の浴室暖房乾燥機を用いることも可能である。
【００２７】
また、各実施形態では、洗面室に前記乾燥庫を設置する形態としたが、これに限らず他の部屋に設置してもよい。さらに、洗面室、クローゼット、玄関収納スペース等自体を乾燥庫兼用として利用する形態とすることも可能である。
【産業上の利用可能性】
【００２８】
本発明は、熱源を問わず浴室暖房乾燥機を用いた浴室外乾燥に広く利用可能である。
【図面の簡単な説明】
【００２９】
【図１】第一の実施形態に係る乾燥装置１の全体構成を示す図である。
【図２】乾燥庫２の詳細構成を示す図である。
【図３】浴室暖房乾燥機３及び換気ユニット４の平面断面を示す図である。
【図４】浴室暖房乾燥機３の正面断面を示す図である。
【図５】乾燥装置１における乾燥フローを示す図である。
【図６】乾燥装置１の乾燥モード運転時における温風循環経路を示す図である。
【図７】乾燥装置１の換気モード運転時における高湿空気排気経路を示す図である。
【図８】第三の実施形態に係る乾燥装置５０の全体構成及び乾燥モード運転時における温風循環経路を示す図である。
【図９】浴室暖房乾燥機５１及び換気ユニット５２の平面断面を示す図である。
【図１０】乾燥装置５０の乾燥モード運転時における温風循環経路を示す図である。
【図１１】第三の実施形態における温風循環経路及び換気経路を示す図である。
【図１２】従来の乾燥装置１００を示す図である。
【符号の説明】
【００３０】
１、５０・・・乾燥装置
２・・・・・・乾燥庫
２ａ・・・・・乾燥チャンバー
２ｂ・・・・・換気循環チャンバー
３、５１・・・浴室暖房乾燥機
４、５２・・・換気ユニット
３１、４１・・シロッコファン
３２・・・・・熱交換器
３４、３９ａ、４２、５３・・ダンパー
Ｅ１、Ｅ２・・換気ダクト
Ｅ３・・・・・排気ダクト
Ｒ１・・・・・戻り側ダクト
Ｓ１・・・・・往き側ダクト
【図１】
2007064494.tif 000003
【図２】
2007064494.tif 000004
【図３】
2007064494.tif 000005
【図４】
2007064494.tif 000006
【図５】
2007064494.tif 000007
【図６】
2007064494.tif 000008
【図７】
2007064494.tif 000009
【図８】
2007064494.tif 000010
【図９】
2007064494.tif 000011
【図１０】
2007064494.tif 000012
【図１１】
2007064494.tif 000013
【図１２】
2007064494.tif 000014